(57)【要約】【課題】本発明は、術後癒着発生のメカニズムの解明や、医薬品、手術等を評価するために有用な術後癒着モデル及びその作成方法を提供する。【解決手段】非ヒト動物を開腹又は開胸し、組織をシート部材で擦過した後に、シート部材を組織部に留置することを特徴とする術後癒着モデルの作成方法。【選択図】なし【特許請求の範囲】
【請求項１】
非ヒト動物を開腹又は開胸し、組織をシート部材で擦過した後に、シート部材を組織部に留置することを特徴とする術後癒着モデルの作成方法。
【請求項２】
組織が腹部組織である請求項１に記載の術後癒着モデルの作成方法。
【請求項３】
シート部材が布である請求項１又は２に記載の術後癒着モデルの作成方法。
【請求項４】
請求項１〜３のいずれか１項に記載の方法により作成された癒着モデル。
【発明の詳細な説明】
【技術分野】
【０００１】
本発明は、術後癒着モデル及びその作成方法に関する。
【背景技術】
【０００２】
外科療法では、開腹手術の後遺症として、腸管癒着による腸閉塞、卵管癒着による不妊症、腹痛などを引き起こすことが少なくない。例えば腹部手術術後の合併症としての腸閉塞は、腹膜の損傷部位に炎症が起こり、炎症性参出液によって腸壁の間に線維性の癒着を生じることで引き起こされる。また、当該術後癒着は、心臓手術などの開胸手術でも生じる。
【０００３】
癒着とは、本来互いに近接して存在するが、遊離している周囲臓器間あるいは組織間に結合が生ずる状態をいう。癒着発生の原因として，機械的刺激、化学的刺激、温熱的刺激、細菌感染、異物、血液、）空気及び乾燥、及びアレルギー反応等が挙げられる。例えば、開腹又は開胸する手術操作そのものや、組織や皮膚を切除した後にそれらを縫合するときに用いる糸に対して過剰に炎症を引き起こし、瘢痕（傷あと）を生じ、癒着となる。このほかにも、出血による凝固の亢進、ガーゼや電気メスの機械的刺激による損傷、漏れた消化液や腹腔内に溜まった血液の菌感染により術後癒着となる場合がある。
【０００４】
したがって、術後癒着発生のメカニズムを解明したり、術後癒着の悪影響や、腸閉塞、不妊症、腹痛に有用な医薬品、手術等を評価するためには、術後癒着モデルの存在が有用となる。
【０００５】
癒着モデルは、例えば、ＣＤ４＋Ｔ細胞（非特許文献１）、ＮＫＴ細胞（（非特許文献２）、腹腔内マクロファージ（非特許文献３）を用いて作成する方法や、ガーゼを擦過する方法（非特許文献４、特許文献１、２）が知られている。
【先行技術文献】
【特許文献】
【０００６】
【特許文献１】国際公開第２０１３／０７７４１４号
【特許文献２】国際公開第２０１４／０２７５４５号
【非特許文献】
【０００７】
【非特許文献１】Chung DR. CD4+ T Cells Regulate Surgical and Postinfectious Adhesion Formation. Journal of Experimental Medicine. 2002;195(11):1471-8.
【非特許文献２】Kosaka H, Yoshimoto T, Yoshimoto T, Fujimoto J, Nakanishi K. Interferon-gamma is a therapeutic target molecule for prevention of postoperative adhesion formation. Nature medicine. 2008;14(4):437-41.
【非特許文献３】Akiyoshi Hoshino YIK, Masato Yasuhara, Noriko Toyama-Sorimachi, Kenji Yamamoto, Akihiro Matsukawa, Sergio A. Lira and Taeko Dohi. Inhibition of CCL1-CCR8 Interaction Prevents Aggregation of Macrophages and Development of Peritoneal Adhesions. J Immunol 2007;178:5296-5304.2007.Rolland E et al.,Hepatology, 10(1), 1-7, 1989
【非特許文献４】岡山大学温泉研究所報告 31号, 54-74, 1963
【発明の概要】
【発明が解決しようとする課題】
【０００８】
しかしながら、従来の方法では、電気メスの使用や細菌培養など手技設備の煩雑さ、癒着を形成する個体差、発症確率の低さ等により客観的な判断が困難であり、簡便で客観的に評価可能なモデルはこれまでに得られていない。
【０００９】
本発明は、術後癒着発生のメカニズムの解明や、医薬品、手術等を評価するために有用な術後癒着モデル及びその作成方法を提供する。
【課題を解決するための手段】
【００１０】
本発明者らは、術後癒着について検討したところ、非ヒト動物を開腹又は開胸した後の、組織をシート部材で擦過した後に、当該部位にシート部材を留置することにより、再現性の良い術後癒着モデルを作成できることを見出した。
【００１１】
すなわち本発明は、以下に係るものである。
１）非ヒト動物を開腹又は開胸し、組織をシート部材で擦過した後に、シート部材を組織部に留置することを特徴とする術後癒着モデルの作成方法。
２）上記作成方法により作成された癒着モデル。
【発明の効果】
【００１２】
本発明の方法によれば、術後癒着モデルが安定し、簡単に作成でき、これを用いることにより、術後癒着のメカニズムの解明や、それに起因する腸閉塞、腹痛の解明を行うことが可能となる。また、これを用いて、術後癒着に対する医薬品、手術等を評価することができる。
【図面の簡単な説明】
【００１３】
【図１】術後癒着モデルの評価を示す図である。
【図２】術後癒着モデルの癒着組織への浸潤を比較する図である。
【発明を実施するための形態】
【００１４】
本発明の癒着モデルの作成方法は、非ヒト動物を開腹又は開胸し、組織をシート部材で擦過した後に、シート部材を組織部に留置することを特徴とする術後癒着モデルの作成するものである。
【００１５】
本発明では、動物を処置するため開腹又は開胸手術が行われるが、当該手術は、通常既知の方法が用いられ、例えば、ペントバルビタールなどの麻酔薬を投与し、立ち直り反射の消失、足指や尾への刺激に対する反応の消失を確かめた後、腹部を開腹又は開胸し、組織を露出させる。
【００１６】
次いで、露出した小腸および大腸組織を、シート部材で擦過した後に、シート部材を擦過した領域と同じ領域に留置したままで、閉腹又は閉胸する。
【００１７】
そして、シート部材による処置をした動物を元の飼育状態に戻すことで、術後癒着モデルを作成することができる。
【００１８】
本発明で使用される非ヒト動物は、ヒト以外であれば特に限定されないが、マウス、ラット、モルモット等のげっ歯類動物、ウサギ、犬等の哺乳類動物であり、好ましくはマウス、ラット、モルモットなどのげっ歯類である。また、その種類、年齢、性別等、特に限定されない。
【００１９】
本発明で使用される動物の組織としては、消化器官（胃、小腸、大腸など）、生殖器官（子宮または卵巣など）、循環器官（心臓、血管、リンパ管など）、呼吸器官（例えば肺）、運動器官（筋肉、骨、靭帯など）、感覚器官（眼球など）及び腹膜組織が好ましいが、小腸、大腸、腹膜組織がより好ましい。
【００２０】
組織の擦過する場所は、特に限定されないが、可能な限り小腸全体と大腸は盲腸から上行結腸、そして横行結腸が擦過しやすく、最後に左右腹膜組織をまんべんなく擦過することが好ましい。
【００２１】
本発明で使用されるシート部材としては、特に限定されないが、布、プラスチックシート、フィルム、紙、アルミホイル又はこれらのラミネートシートを用いることができ、これらの中でも特に布が好ましい。
【００２２】
布としては、厚織り、糸織り、ガーゼ、コール天、ネル等の織物、平編み、ゴム編み、タック編み、二目編み等の製法による編布、スパンレース、スパンボンド、サーマルボンド、ケミカルボンド、ニードルパンチ等の製法による不織布などを挙げることができるが、これらの中でも特にガーゼが好ましい。
【００２３】
ガーゼとしては、特に限定されないが、レーヨン繊維、アクリル繊維、ナイロン繊維、ポリエチレン繊維やポリプロピレン繊維などのポリオレフィン繊維、ポリエステル繊維等の化学繊維を含んだものが例示され、好ましくはポリエチレン繊維である。
【００２４】
本発明で使用されるシート部材の大きさは、使用する動物や組織で異なるが、組織部の擦過した場所を覆うことができればよい。また、シート部材を折り曲げ等で重ねて使用することができる。
【００２５】
本発明で使用されるガーゼは、生体に適用されることから、滅菌処理に供されることが望ましい。滅菌方法としては特に制限されないが、例えば、ＥＯＧ滅菌、電子線滅菌、γ線滅菌、紫外線照射等が挙げられる。
【００２６】
ガーゼによる擦過は、特に制限されないが、毎秒１ｃｍの条件で、好ましくは２〜３０回、より好ましくは５〜１０回ほど往復することが好ましく、例えば上記非特許文献４に記載の手法により行うことができる。
【００２７】
ガーゼの留置は、擦過した領域に、ガーゼをそのまま配置することや、ガーゼを腸管等に結束させることができる。留置するガーゼは、擦過したガーゼと同一のものでも、新たなガーゼを使用してもよい。
【００２８】
閉腹又は閉胸した後は使用する動物や組織で異なるが、癒着は一般的に術後第１日目から形成され、少なくとも７日後には形成される。
【００２９】
本発明の作成方法で作成された術後癒着モデルの癒着は、再開腹又は開胸後に取り出した組織の目視や、解剖後の癒着部位の組織切片を作成し、染色後に顕微鏡などで染色による病理組織学的な方法で確認することができる。また、染色方法としては、ヘマトキシリンエオジン染色、Ｍａｓｓｏｎのトリクローム染色法、ワンギーソン染色法、マロリー染色法、またはアザン染色法等が挙げられる。
【実施例】
【００３０】
実施例１：癒着のスコア化
日本チャールスリバーより購入したＣ５７ＢＬ６Ｊマウスで約２０−２５ｇ、性別不問、１０匹をイソフルレンで全身麻酔下にて腹部正中切開で開腹又は開胸し、小腸の腸管を腹腔外へ取り出し、その面を小出血３ｃｍ2のガーゼで小腸、大腸及び腹膜組織を５回毎秒１ｃｍ擦過し、最後にそのガーゼを丸めて擦過した領域に挿入し、側腹部へ留置する。３−０吸収糸を用い連続縫合で閉創する。その７日後再度開腹又は開胸し、ガーゼとの癒着状況を観察し、腹腔内の癒着の程度を目視により判定した。図１に基づき、下記５段階のスコア化を行った。
【００３１】
（スコア）
スコア０：癒着なし 
スコア１：１ｃｍ引っ張ることで除去可能な癒着 
スコア２：５ｃｍ引っ張ることで除去可能な癒着
スコア３：鉗子を用いて簡単に除去可能な癒着 
スコア４：鉗子を使用すれば除去可能な癒着; 
スコア５：鉗子を使用しても除去困難な癒着
【００３２】
本発明の作成方法では、マウスの個体差があるが、スコア４−５の術後癒着モデルを作成することができた。
【００３３】
実施例２：癒着組織の浸潤
Ｃ５７ＢＬ６Ｊマウスの腸管を切除し、凍結組織切片作製用包埋剤であるＯＣＴコンパウンドにつけ、−８０℃に凍結保存し、７日後クライオマイクロトームで５μｍに切片を切り出し、ヘマトキシリンエオジン染色、各種必要な細胞表面マーカで染色した（Ｇｒ−１: 好中球マーカー、Ｆ４／８０: マクロファージマーカー、 ＣＤ３ｅ: Ｔリンパ球マーカー、ＮＫ１．１: ナチュラルキラーＴ細胞マーカー、Ｂ２２０: Ｂリンパ球マーカー、ＣＤ１１ｃ: 樹状細胞マーカー）。染色はエタノール固定後、０．０５％Ｔｗｅｅｎで洗浄し、２％ＦＢＳ/ＰＢＳでブロッキングを行い、各種抗体を加え、３７℃３０分で反応させた。２次抗体が必要なものはさらに抗体をのせ、同条件で反応させた後、ＤＡＰＩで核染色を行い、観察した。
【００３４】
図２は、好中球マーカー（Ｇｒ−１）、腹腔内マクロファージマーカー（Ｆ４／８０）、Ｔリンパ球マーカー（ＣＤ３ｅ）、Ｂリンパ球マーカー（Ｂ２２０）、樹状細胞マーカー(ＣＤ１１ｃ)及びＮＫＴ細胞（ＮＫ１．１）マーカーにより作成したモデルを示す図である。
図２より、Ｆ４／８０が赤色、ＣＤ３ｅ及びＢ２２０が緑色に染色されたことから、本発明の方法で作成した術後癒着モデルは、腹腔内マクロファージとＴ細胞およびＢ細胞の癒着組織への浸潤が確認された。
【図１】
2016086753.tif 000002
【図２】
2016086753.tif 000003